(57)【要約】【課題】排出カバーの開放を妨げることなく、機械的な構成のみで排出カバーの開放を検出することができる。【解決手段】画像読取後の原稿は、排出部へと排出するための排出経路と、筐体に対し開閉可能に設けられた排出カバー１６に排出するための第二の排出経路と、の何れか一方に選択的に切り替えることができる。この際、排出カバー１６が開放されると、排出経路と第二の排出経路との分岐点に配置されたフラッパ部材４３が連動して変位し、画像読み取り後の原稿の排出経路が排出経路から第二の排出経路に切り替えられる。また、排出カバー１６が開閉は、その開閉に応じて連動してリンク機構で構成するカバー検出部５０の複数のアーム５１，５２，５３が回動し、このリンク機構部の終端に設けられた検出スイッチで検出することができる。【選択図】図１２
2014099827.tif 000002
【特許請求の範囲】
【請求項１】
筐体と、
原稿が載置される原稿載置部と、
原稿を読み取るための画像読取部と、
前記画像読取部に対し前記原稿載置部の反対側において前記筐体に対し開閉可能に設けられた排出カバーと、前記画像読取部に対し前記排出カバーと反対側に位置し、原稿が排出される排出部と、
前記筐体に形成され、前記原稿載置部に載置された原稿を前記画像読取部へ給送するための読取経路と、
前記筐体に形成され、前記画像読取部で読み取った原稿を折り返し、前記排出部へと排出するための第一の排出経路と、
前記筐体に形成され、前記画像読取部で読み取った原稿を前記排出カバーに排出するための第二の排出経路と、
前記第一の排出経路と前記第二の排出経路との分岐点に配置されて前記排出カバーの開閉動作に連動して変位することで画像読み取り後の原稿の排出経路を前記第一の排出経路と前記第二の排出経路とで切り替える切替部と、
前記排出カバーの開放を検出するカバー検出部と、
を備え、
前記カバー検出部は、
前記排出カバーの開閉に応じて連動して回動する複数のアームを備えたリンク機構部と、
前記リンク機構部の終端に設けられた検出スイッチと、
を備える
ことを特徴とする自動原稿送り装置。
【請求項２】
請求項１に記載の自動原稿送り装置において、
前記リンク機構部の前記複数のアームのうち、前記検出スイッチを作動させる終端アームは前記排出カバーの回動軸線方向に沿って延び且つ前記筐体の外側に向かって延出していることを特徴とする自動原稿送り装置。
【請求項３】
請求項１又は２に記載の自動原稿送り装置において、
前記リンク機構部は、
前記排出カバーの下縁両端に設けられた回動軸に隣接するように前記排出カバーの裏面から突出するカム部材と、
前記カム部材と一端が係合して前記排出カバーの開閉に連動する前記カム部材の変位に連動して前記排出カバーの回動軸線方向に平行なアーム回動軸線まわりに回動し、前記カム部材と係合する一端から前記アーム回動軸線まで前記排出カバーの回動軸線方向に直交する第１方向に延び、且つ前記アーム回動軸線から他端まで前記第１方向及び前記排出カバーの回動軸線方向に直交する第２方向に延出する中間アームと、
前記中間アームの他端と基端が係合して前記中間アームの回動に連動して回動すると共に先端が前記検出スイッチと係合する前記終端アームと、
を備え、
前記終端アームの回動支点が前記中間アーム側の前記基端寄りとされている
ことを特徴とする自動原稿送り装置。
【請求項４】
請求項３に記載の自動原稿送り装置において、
前記終端アームの前記基端には、
前記中間アームの前記他端の回動位置に応じて前記終端アームの前記先端が前記検出スイッチのＯＮ・ＯＦＦを切り替えるように接近又は離反するように傾斜した係合面と、
前記中間アームの回動方向に沿った前記係合面の外側縁の少なくとも一方に配置されて前記中間アームの前記他端を前記係合面側に案内する規制壁と、
を備えていることを特徴とする自動原稿送り装置。
【請求項５】
画像形成部を備えた本体ユニットと、
前記本体ユニットに対して開閉可能に前記本体ユニットの上面に配置された原稿載置ユニットと、
請求項１乃至請求項４の何れかに記載され、前記原稿載置ユニットに対して開閉可能に前記原稿載置ユニットの上面に配置された前記自動原稿送り装置と、
を備え、
前記排紙カバーは、前記本体ユニットの正面を基準として前記筐体の側面で且つ原稿搬送方向と直交する幅方向中央に配置され、
前記終端アームの前記先端は、前記本体ユニットの前記正面側に配置され、
前記本体ユニットの前記正面側の内壁面には、前記検出スイッチと、前記本体ユニットに対する前記自動原稿送り装置の開放を検出する第二の検出スイッチと、が並列して配置され、
前記終端アームは前記原稿載置ユニットに回動可能に保持され、
前記検出スイッチ及び前記第二の検出スイッチの２つのＯＮ・ＯＦＦの組み合わせにより、前記自動原稿送り装置に対する前記排出カバーの開放と、前記本体ユニットに対する前記自動原稿送り装置の開放と、前記本体ユニットに対する前記原稿載置ユニットの開放と、これら全ての全閉と、を検出する
ことを特徴とする画像形成装置。
【発明の詳細な説明】
【技術分野】
【０００１】
本発明は、スキャナ又はプリンタ、複写機、ファクシミリ或いはこれらを機能的に組み合わせた複合機等に搭載される自動原稿送り装置及び画像形成装置に関する。
【背景技術】
【０００２】
従来、画像形成機構等が組み込まれた本体ユニットの上側に、画像読取機構等が組み込まれた読取ユニットを積み重ねた構造とされた複合機が知られている（例えば、特許文献１参照）。また、この特許文献１に記載の複合機の場合、読取ユニットの上側に、更に自動原稿送り装置（ＡＤＦ）が組み込まれた原稿搬送ユニットを積み重ねた構造とされている。
【０００３】
この種の複合機は、原稿搬送ユニットが読取ユニットに対して開閉可能な構造になっていて、読取ユニットの上面側にある原稿台を利用する際には原稿搬送ユニットが開閉操作され、ＡＤＦを利用する際には原稿搬送ユニットが閉じられた状態とされる。また、読取ユニットが本体ユニットに対して開閉可能な構造になっているものもある。その場合、通常時、原稿搬送ユニットは読取ユニットに対して閉じられた状態とされ、本体ユニットに組み込まれた画像形成機構等の保守や整備を行う際には読取ユニットが開かれた状態とされる。さらに、これらの他にも、各種開閉箇所を備えている場合がある。
【０００４】
このように複数の開閉対象を備えている場合、それら複数の開閉対象の開閉状態を検出する方法としては、すべての開閉対象それぞれに対応するスイッチを配設して、各スイッチのオン・オフを検出する、といった方法を考えることができる。
【先行技術文献】
【特許文献】
【０００５】
【特許文献１】特開２００１−１９７２３２号公報
【発明の概要】
【発明が解決しようとする課題】
【０００６】
上記従来技術の複合機では、複数の開閉対象と同数分のスイッチが必要となり、各スイッチと制御部とを結ぶハーネス類も必要となるので、相応に部品点数が増大する原因になり、それらのスイッチやハーネス類を組み付けるために組み立て工数も増大する。また、それらのスイッチやハーネス類を配設するためのスペースを確保すると機器の小型化を妨げる要因になり、さらに、スイッチやハーネス類が増えるほど電気的なノイズ源が増えるおそれがあるので、その対策にもコストがかかることになる。
【０００７】
本発明の目的は、排出カバーの開放を妨げることなく、機械的な構成のみで排出カバーの開放を検出することができる自動原稿送り装置及びこれを用いた画像形成装置を提供することにある。
【課題を解決するための手段】
【０００８】
上記目的を達成するために、本願発明の自動原稿送り装置は、筐体と、原稿が載置される原稿載置部と、原稿を読み取るための画像読取部と、前記画像読取部に対し前記原稿載置部の反対側において前記筐体に対し開閉可能に設けられた排出カバーと、前記画像読取部に対し前記排出カバーと反対側に位置し、原稿が排出される排出部と、前記筐体に形成され、前記原稿載置部に載置された原稿を前記画像読取部へ給送するための読取経路と、前記筐体に形成され、前記画像読取部で読み取った原稿を折り返し、前記排出部へと排出するための第一の排出経路と、前記筐体に形成され、前記画像読取部で読み取った原稿を前記排出カバーに排出するための第二の排出経路と、前記第一の排出経路と前記第二の排出経路との分岐点に配置されて前記排出カバーの開閉動作に連動して変位することで画像読み取り後の原稿の排出経路を前記第一の排出経路と前記第二の排出経路とで切り替える切替部と、前記排出カバーの開放を検出するカバー検出部と、を備え、前記カバー検出部は、前記排出カバーの開閉に応じて連動して回動する複数のアームを備えたリンク機構部と、前記リンク機構部の終端に設けられた検出スイッチと、を備えることを特徴とする。
【０００９】
本願発明の自動原稿送り装置にあっては、排出カバーの開閉は、その開閉に応じて連動してリンク機構部の複数のアームが回動し、このリンク機構部の終端に設けられた検出スイッチで検出することができる。
【００１０】
そして、本願発明では、これにより、排出カバーの開放を妨げることなく、機械的な構成のみで排出カバーの開放を検出することができる。
【００１１】
第２発明の自動原稿送り装置は、上記第１発明の自動原稿送り装置において、前記リンク機構部の前記複数のアームのうち、前記検出スイッチを作動させる終端アームは前記排出カバーの回動軸線方向に沿って延び且つ前記筐体の外側に向かって延出していることを特徴とする。
【００１２】
第２発明の自動原稿送り装置よれば、検出スイッチ及び終端アームを排出カバーよりも外側、即ち、第二の排出経路から外れた位置に配置することができる。
【００１３】
第３発明の自動原稿送り装置は、上記第１発明又は第２の自動原稿送り装置において、前記リンク機構部は、前記排出カバーの下縁両端に設けられた回動軸に隣接するように前記排出カバーの裏面から突出するカム部材と、前記カム部材と一端が係合して前記排出カバーの開閉に連動する前記カム部材の変位に連動して前記排出カバーの回動軸線方向に平行なアーム回動軸線まわりに回動し、前記カム部材と係合する一端から前記アーム回動軸線まで前記排出カバーの回動軸線方向に直交する第１方向に延び、且つ前記アーム回動軸線から他端まで前記第１方向及び前記排出カバーの回動軸線方向に直交する第２方向に延出する中間アームと、前記中間アームの他端と基端が係合して前記中間アームの回動に連動して回動すると共に先端が前記検出スイッチと係合する前記終端アームと、を備え、前記終端アームの回動支点が前記中間アーム側の前記基端寄りとされていることを特徴とする。
【００１４】
第３発明の自動原稿送り装置によれば、これにより、少ない部品点数で排出カバーの外側に検出スイッチを配置することができる。
【００１５】
第４発明の自動原稿送り装置は、上記第３発明に記載の自動原稿送り装置において、前記終端アームの前記基端には、前記中間アームの前記他端の回動位置に応じて前記終端アームの前記先端が前記検出スイッチのＯＮ・ＯＦＦを切り替えるように接近又は離反するように傾斜した係合面と、前記中間アームの回動方向に沿った前記係合面の外側縁の少なくとも一方に配置されて前記中間アームの前記他端を前記係合面側に案内する規制壁と、を備えていることを特徴とする。
【００１６】
上記第４発明の自動原稿送り装置によれば、中間アームの回動を終端アームに確実に伝達することができ、検出スイッチの感度を良好に維持することができる。
【００１７】
第５発明の画像形成装置は、画像形成部を備えた本体ユニットと、前記本体ユニットに対して開閉可能に前記本体ユニットの上面に配置された原稿載置ユニットと、請求項１乃至請求項４の何れかに記載され、前記原稿載置ユニットに対して開閉可能に前記原稿載置ユニットの上面に配置された前記自動原稿送り装置と、を備え、前記排紙カバーは、前記本体ユニットの正面を基準として前記筐体の側面で且つ原稿搬送方向と直交する幅方向中央に配置され、前記終端アームの前記先端は、前記本体ユニットの前記正面側に配置され、前記本体ユニットの前記正面側の内壁面には、前記検出スイッチと、前記本体ユニットに対する前記自動原稿送り装置の開放を検出する第二の検出スイッチと、が並列して配置され、前記終端アームは前記原稿載置ユニットに回動可能に保持され、前記検出スイッチ及び前記第二の検出スイッチの２つのＯＮ・ＯＦＦの組み合わせにより、前記自動原稿送り装置に対する前記排出カバーの開放と、前記本体ユニットに対する前記自動原稿送り装置の開放と、前記本体ユニットに対する前記原稿載置ユニットの開放と、これら全ての全閉と、を検出することを特徴とする。
【００１８】
第５発明の画像形成装置によれば、少ない検出スイッチでそれ以上の状態を検出することができる。
【発明の効果】
【００１９】
本発明によれば、これにより、排出カバーの開放を妨げることなく、機械的な構成のみで排出カバーの開放を検出することができる。
【図面の簡単な説明】
【００２０】
【図１】本発明の一実施形態に適用される自動原稿送り装置を搭載した画像形成装置の一例を示す複合機の全体斜視図である。
【図２】本発明の一実施形態に適用される自動原稿送り装置を搭載した画像形成装置において本体ユニットに対して読取ユニットを開放状態とした複合機（一部省略）の斜視図である。
【図３】本発明の一実施形態に適用される自動原稿送り装置を搭載した画像形成装置において読取ユニットに対して画像搬送ユニットを開放状態とした複合機（一部省略）の斜視図である。
【図４】本発明の一実施形態に適用される自動原稿送り装置を搭載した画像形成装置において原稿載置カバーを開放した状態の原稿搬送ユニットの斜視図である。
【図５】本発明の一実施形態に適用される自動原稿送り装置を搭載した画像形成装置において排出カバーを開放した状態の原稿搬送ユニットの斜視図である。
【図６】本発明の一実施形態に適用される自動原稿送り装置を搭載した画像形成装置においてＡＤＦカバーを取り外した状態で排出カバーを開放した状態の原稿搬送ユニットの斜視図である。
【図７】本発明の一実施形態に適用される自動原稿送り装置を搭載した画像形成装置において原稿載置カバーを取り外した状態の原稿搬送ユニットの斜視図である。
【図８】本発明の一実施形態に適用される自動原稿送り装置を搭載した画像形成装置において排出カバーを閉じている状態の要部の断面図である。
【図９】本発明の一実施形態に適用される自動原稿送り装置を搭載した画像形成装置において排出カバーを開いている状態の要部の断面図である。
【図１０】本発明の一実施形態に適用される自動原稿送り装置を搭載した画像形成装置において排出カバーを閉じているときのフラッパ部材の回動変位機構の説明図である。
【図１１】本発明の一実施形態に適用される自動原稿送り装置を搭載した画像形成装置において排出カバーを開いているときのフラッパ部材の回動変位機構の説明図である。
【図１２】本発明の一実施形態に適用される自動原稿送り装置を搭載した画像形成装置において排出カバーの開放に連動する機構の要部の説明図である。
【図１３】本発明の一実施形態に適用される自動原稿送り装置を搭載した画像形成装置において排出カバーを閉じているときの開放検出のリンク機構の要部の説明図である。
【図１４】本発明の一実施形態に適用される自動原稿送り装置を搭載した画像形成装置において排出カバーを開いているときの開放検出のリンク機構の要部の説明図である。
【図１５】本発明の一実施形態に適用される自動原稿送り装置を搭載した画像形成装置においてフラッパ部材の回動タイミングと排出カバーの検出タイミングとを比較するグラフ図である。
【発明を実施するための形態】
【００２１】
次に、本発明の一実施形態に係る自動原稿送り装置について、画像形成装置としての複合機に適用して説明する。なお、本実施形態において例示する画像読取装置は、画像読取装置としての機能（スキャン機能）に加え、その他の機能（例えば、プリント機能、コピー機能、ファクシミリ送受信機能など）を兼ね備えた複合機の一部として構成されたものである。なお、以下に示す実施形態は本発明の自動原稿送り装置における好適な具体例であり、技術的に好ましい種々の限定を付している場合もあるが、本発明の技術範囲は、特に本発明を限定する記載がない限り、これらの態様に限定されるものではない。また、以下に示す実施形態における構成要素は適宜、既存の構成要素等との置き換えが可能であり、かつ、他の既存の構成要素との組合せを含む様々なバリエーションが可能である。したがって、以下に示す実施形態の記載をもって、特許請求の範囲に記載された発明の内容を限定するものではない。また、以下の説明においては、複合機の各部について、それらの相対的な位置関係をわかりやすくするため、図中に併記した上下左右前後の各方向を利用して説明をする。
【００２２】
［複合機の外観構成］
図１に示すように、複合機１は、本体ユニット２と、本体ユニット２の上段に搭載された読取ユニット３と、読取ユニット３の上段に搭載された自動原稿送り装置としての原稿搬送ユニット４と、を備えている。
【００２３】
本体ユニット２は、画像形成部、制御部、及び電源部といった複合機１の画像形性処理における主たる機能部を内蔵している。また、本体ユニット２、読取ユニット３、原稿搬送ユニット４に配設された各種駆動機構等は、本体ユニット２が備える制御部によって制御される。本体ユニット２の正面、すなわち図示手前側には、下段に配置された引き出し方式の転写紙収納カセット５と、中段に開口されて画像形成前の転写紙の給紙及び画像形成後の転写紙の排紙を行う給排紙口６と、上段に位置して読取ユニット３の正面側を一体に覆う正面カバー７と、上段中央に配置されて主電源スイッチ８及びタッチパネル方式の液晶表示パネル９を配置した操作部１０と、を備えている。なお、転写紙収納カセット５は、オプション等によって増設可能となっているもので、配置されていない場合もある。
【００２４】
読取ユニット３は、本体ユニット２及び読取ユニット３の背面側（図示奥行き側）において図示左右方向へと延びる軸線を回動中心として、本体ユニット２に対して開閉可能な構造とされている。したがって、読取ユニット３は、図１に示す閉位置と、図２に示すように、上段の原稿搬送ユニット４と一体に開位置とに変位可能となっている。
【００２５】
読取ユニット３を開位置へ変位させると、本体ユニット２の上面側が開放され、詳細には図示を略すが、本体ユニット２に内蔵された画像形成部、制御部、及び電源部等の各部のメンテナンス作業等を実施することができる。読取ユニット３には、２つのセンサ操作片１１，１２が設けられている。読取ユニット３を図２に示す開位置へ変位させると、本体ユニット２に設けられて、図示を略する２つの開閉センサから２つのセンサ操作片１１，１２が離れる（なお、センサ機能は後述する）。
【００２６】
原稿搬送ユニット４は、読取ユニット３及び原稿搬送ユニット４の背面側において左右方向へと延びる軸線を回動中心として、読取ユニット３に対して開閉可能な構造とされている。したがって、原稿搬送ユニット４は、図１に示す閉位置と、図３に示すように、読取ユニット３の上面に設けられた透明ガラス等からなるプラテン１３を露出させた開位置とに変位可能となっている。また、この閉位置にあるときには、原稿搬送ユニット４は、原稿載置面としてのプラテン１３を覆うカバーとして機能する。
【００２７】
原稿搬送ユニット４は、上面中央に原稿載置カバー１４が開閉可能に設けられている。図４に示すように、この原稿載置カバー１４を開放すると、原稿を載置する原稿載置部の一部である原稿載置トレイとして機能する。原稿搬送ユニット４は、原稿載置カバー１４を開放したときに、原稿の搬送方向と直交する幅方向の二辺を押さえてスキュー搬送を抑制する一対のガイド部材１５が設けられている。一対のガイド部材１５は、連動して互いに接近・離反が可能となっており、図４に示すように、予め設定されたＡ４サイズ等の最大幅と、図５に示すように、予め設定された名刺サイズ等の最小幅との間で無段階若しくは所定段階で変更可能となっている。なお、一対のガイド部材１５の対向間隔は、例えば、最大幅から最小幅の範囲で企画サイズ単位で位置決めが可能となるように段階的に変更可能となっていても良い。また、本実施の形態では、例えば、ガイド部材１４の対向幅を検出するスイッチやセンサ等、或いは、所定のスイッチやセンサ等を用いて、原稿載置部に載置された原稿のサイズを所定サイズ以上か所定サイズ幅未満かを検出する。なお、以下の説明では、サイズ幅検出のためスイッチやセンサ等を広義的な機能として「センサ」と称する。
【００２８】
具体的には、操作部１０によって原稿サイズの指定がなされた場合を除き、排出カバー１６を用いるか否かを基準として原稿載置部に載置された原稿のサイズを所定サイズ以上か所定サイズ幅未満かを検出する。そこで、本実施の形態においては、特殊な原稿である場合を除き、ある程度規格サイズ化されて且つ厚紙とされているはがき又は名刺が原稿であった場合には排出カバー１６を用いるものとしている。したがって、Ｂ５規格の短辺側のサイズ幅以上を所定サイズ幅として原稿が載置された場合と、例えば、はがきの長辺側のサイズ幅以下を所定サイズ幅以下として原稿が載置された場合とを検出する。その検出結果は本体ユニット２の制御部へと出力される。なお、所定サイズ幅以下のセンサによる検出は、原稿が載置されたか否かを検出する公知の原稿載置センサで兼用し、所定サイズ幅以上を別途配置したセンサで検出するようにしても良い。なお、Ｂ５規格の用紙の場合の短辺側のサイズ幅は１８２ｍｍ、はがきの場合の長辺側のサイズ幅は１４８ｍｍである。したがって、その間のサイズ幅が問題になるが、実際には、Ａ４規格より下のＡ５規格サイズの短辺側のサイズ幅ははがきの長辺側のサイズ幅と同じ１４８ｍｍ、Ｂ５規格より下のＢ６規格サイズの短辺側のサイズ幅は１２８．５ｍｍとなる。したがって、規格サイズを基準として考えた場合には上記の所定サイズ幅以上と所定サイズ幅以下とで分けても問題は発生しない。ただし、実施には、はがきの長辺側のサイズ幅と同じ１４８ｍｍ以下の所定サイズ幅以下とし、１４８ｍｍを含まないそれ以上のサイズ幅を所定サイズ幅以上としている。
【００２９】
原稿搬送ユニット４の一方の側面中央には、下端側に原稿幅方向に延びる軸線を回動中心として、画像読取後のはがきや名刺を集積するための排出カバー１６が回動可能に設けられている。この回動に伴って、排出カバー１６は、図１に示す閉位置と、図５及び図６に示すように、画像読取後の所定サイズ幅以下の原稿の原稿排紙口１７を開放した開位置とに変位する。原稿排出口１７は、原稿搬送ユニット４のケース（筐体）４Ａの側面に形成されている。なお、図５に示すように、排出カバー１６は、例えば、はがき用としての支持アーム１８を収納可能に備えている。原稿搬送ユニット４は、一方の側面側の上面に、常時は閉じられてメンテナンス時や搬送過程の原稿が紙詰まり（ジャム）した場合の原稿取り出し時に開放されるＡＤＦカバー１９が設けられている。図６に示すように、ＡＤＦカバー１９を取り外すと、原稿搬送ユニット４の主要部の上方が開放され、メンテナンスやジャム原稿の取り外しが可能となっている。なお、ＡＤＦカバー１９は、開閉式及び着脱式の何れでも良い。また、上述した原稿載置センサや所定サイズ幅以上の原稿がセットされた場合のセンサは、原稿を取り出してニップ搬送するためのアッパドキュメントカバー２０の下方に配置されている。本実施の形態では、ガイド部材１４を開放した状態でこのガイド部材１４にセット（載置）された原稿は、その搬送方向先端側がアッパドキュメントカバー２０の下側に挿入され、画像読み取り後の折り返えし原稿はＡＤＦカバー１９とアッパドキュメントカバー２０との間に集積される（詳細は後述する）。
【００３０】
［読取ユニット３及び原稿搬送ユニット４の詳細構成］
次に、図８及び図９に基づいて、読取ユニット３及び原稿搬送ユニット４の具体的な構成を説明する。なお、以下の説明において、原稿の搬送方向（太い二点鎖線参照）を基準として、原稿が搬送される方向を下流側、その逆側を上流側として説明する。
【００３１】
図８及び図９に示すように、読取ユニット３にはプラテン１３の下方に第一イメージセンサ２１が設けられ、原稿搬送ユニット４には、第一イメージセンサ２１よりも下流側に第二イメージセンサ２２が設けられている。本実施形態において、第一イメージセンサ２１と第二イメージセンサ２２とは、何れも密着イメージセンサ（ＣｏｎｔＡｃｔ  ＩｍＡｇｅ  Ｓｅｎｓｏｒ）が採用されている。
【００３２】
第一イメージセンサ２１は、図示しないモータの駆動によって読取ユニット３の内部を図示左右方向（副走査方向）へ往復移動するホルダ２３に保持され、コイルスプリング等の緩衝部材２４によって常時はプラテン１３に向けて付勢された構造とされている。また、第二イメージセンサ２２は、原稿搬送ユニット４の保持フレーム２５に保持され、コイルスプリング等の緩衝部材２６によって常時は第二プラテン２７に向けて付勢された構造とされている。なお、第二プラテン２７は保持フレーム２５に保持されている。
【００３３】
第一イメージセンサ２１は上方にプラテン１３を配置することにより上向きで画像を読み取る。また、第二イメージセンサ２２は下方に第二プラテン２７を配置することにより下向きで画像を読み取る。第一イメージセンサ２１の上方には、原稿搬送ユニット４の保持フレーム２５に保持されるとともにプラテン１３を挟んで対向する位置に第一原稿押さえ部２８が配設されている。第二イメージセンサ２１の下方には、読取ユニット３の保持フレーム２９に保持されるとともに第二プラテン２７を挟んで対向する位置に第二原稿押さえ部３０が配設されている。第一原稿押さえ部２８と第二原稿押さえ部３０とは、それぞれ圧縮ばね等の付勢部材３１，３２によってプラテン１３及び第二プラテン２７に向って付勢されている。これにより、第一原稿押さえ部２８はプラテン１３の上面側を軽く押圧する状態とされ、また、第二原稿押さえ部３０は第二プラテン２７の下面側を軽く押圧する状態になっている。
【００３４】
アッパドキュメントカバー２０の下方の原稿搬送ユニット４には、原稿供給ローラ３３、分離ローラ３４、レジストローラ対３５が配置されている。また、第二イメージセンサ２１の下流側の原稿搬送ユニット４は、原稿を折返し搬送するための折返駆動ローラ３６と、折返駆動ローラ３６の周囲に位置して折返駆動ローラ３６と協働して原稿をニップ搬送する複数の折返従動ローラ３７，３８，３９と、を備えている。
【００３５】
アッパドキュメントカバー２０の上流端２０Ａと原稿搬送ユニット４の原稿載置面（原稿載置部）４Ｂとの間から、第一原稿押さえ部２８とプラテン１３との間、及び第二原稿押さえ部３０と第二プラテン２７との間を経由して折返駆動ローラ３６と折返従動ローラ３７との間に至る経路は原稿の読取経路４０を形成している。また、折返駆動ローラ３６と折返従動ローラ３７との間から折返駆動ローラ３６と折返従動ローラ３９に至る経路は原稿の折返経路４１を形成している。さらに、折返駆動ローラ３６と折返従動ローラ３９との間からＡＤＦカバー１９とアッパドキュメントカバー２０との間の経路は原稿の排出経路４２を形成している。さらに、折返経路４１の中途部、具体的には、折返従動ローラ３７と折返従動ローラ３８との間には、排出カバー１６の開閉に連動して経路を切り替える可動式のフラッパ部材４３が設けられている。
【００３６】
フラッパ部材４３は、折返従動ローラ３７に近接した位置に配置されている。フラッパ部材４３は、図８に示すように、排出カバー１６が原稿排紙口１７を閉じているときには、折返従動ローラ３７の下流側の折返経路４１を開いている。これにより、読取経路４０から搬送されて第一イメージセンサ２１又は第二イメージセンサ２２で画像を読み取った後の原稿を、折返経路４１で折り返しつつ排出経路４２へと搬送する。一方、フラッパ部材４３は、図９に示すように、排出カバー１６が原稿排紙口１７を開放しているときには、折返従動ローラ３７の下流側の折返経路４１を閉じている。これにより、読取経路４０から搬送されて第一イメージセンサ２１又は第二イメージセンサ２２で画像を読み取った後の原稿を、フラッパ部材４３から排出カバー１６に至る第二排出経路４４へと搬送する。したがって、フラッパ部材４３は、折返経路４１と第二排出経路４４との分岐部分に配置されている。
【００３７】
フラッパ部材４３は、上述したように、原稿搬送ユニット４に対して回動変位可能な構造とされ、その回動変位によって、図８に示すように折返経路４１を開いている位置（以下「折返開位置」と称する）と、図９に示すように折返経路４１を閉じている位置（以下「折返閉位置」と称する）とに変位可能となっている。
【００３８】
フラッパ部材４３は、図１０乃至図１２に示すように、カム部材４５、アーム部材４６、ガイド板４７によって排出カバー１６の開閉操作に連動して回動変位する。カム部材４５及びアーム部材４６は、排出カバー１６とフラッパ部材４３との間に介装され、これにより、排出カバー１６の開閉動作がフラッパ部材４３に伝達されて、フラッパ部材４３が変位する構造とされている。
【００３９】
フラッパ部材４３が折返開位置へと変位した場合、折返経路４１から排出経路４２に至る経路が第一排出経路となる。一方、フラッパ部材４３が折返閉位置へと変位した場合、第二排出経路４４が開放される。第二搬送経路は、読取経路４０から略直線状に連続して延びているため、第一排出経路で搬送した場合よりも原稿を湾曲させることなく搬送することができる。
【００４０】
フラッパ部材４３は、図１０に示すように、回動軸４３Ａを中心に回動可能な状態で原稿搬送ユニット４に支持されている。フラッパ部材４３の回動軸４３Ａは、折返駆動ローラ３６の回転中心よりも下方、かつ、カム部材４５の回動中心４５Ａよりも上流側にある。
【００４１】
カム部材４５は、回動中心４５Ａを中心に回動可能な状態で原稿搬送ユニット４に支持されている。カム部材４５の外周には、第一カム面４５Ｂ及び第二カム面４５Ｃが形成されている。第一カム面４５Ｂは、回動中心４５Ａからの距離が等距離となる面（例えば円筒面）で構成され、第二カム面４５Ｃも、同じく回動中心４５Ａからの距離が等距離となる面（例えば円筒面）で構成されている。ただし、第一カム面４５Ｂと第二カム面４５Ｃとでは、回動中心４５Ａからの距離が異なり、本実施形態の場合、第一カム面４５Ｂの方が第二カム面４５Ｃよりも回動中心４５Ａから離間した位置にある。
【００４２】
フラッパ部材４３上のカム部材４５側には、カム部材４５に当接する当接面４３Ｂが形成されている。この当接面４３Ｂは、第一カム面４５Ｂ及び第二カム面４５Ｃのいずれに当接する場合でも、その当接箇所から概ね回動中心４５Ａのある方向に向かって押圧力を付与する状態にあり、これにより、当接面４３Ｂから押圧力でカム部材４５が回動しないようにされている。
【００４３】
また、カム部材４５は、第一カム面４５Ｂが当接面４３Ｂと当接する位置へ回動した際には、フラッパ部材４３の回動軸４３Ａよりも第一排出経路の搬送方向下流側で当接面４３Ｂに当接する。このような位置で第一カム面４５Ｂと当接面４３Ｂを当接させれば、第一カム面４５Ｂがフラッパ部材４３の回動軸４３Ａの中線付近に当接するものよりも、シートの搬送時にカム部材４５に作用する力を低減することができる。
【００４４】
カム部材４５には、回動中心４５Ａから離間する方向へ延出する延出部４５Ｄが設けられ、この延出部４５Ｄの先端とアーム部材４６の一端が、回動中心４６Ａを中心に回動可能な状態で連結されている。一方、アーム部材４６の他端と排出カバー１６とは、回動中心４６Ｂを中心に回動可能な状態で連結されている。
【００４５】
排出カバー１６は、その下方にある回動軸１６Ａを中心に回動可能な状態で原稿搬送ユニット４に支持されている。これにより、排出カバー１６は、第一イメージセンサ２１に対して原稿載置面４Ｂとは反対側において原稿搬送ユニット４のケース４Ａに設けられた原稿排出口１７を開閉する。また、排出カバー１６の両端には、原稿搬送ユニット４の内部側に円弧状に延出する扇形部１６Ｂが形成され、この扇形部１６Ｂの先端側には係合孔１６Ｃが形成されている。
【００４６】
係合孔１６Ｃは、排出カバー１６が閉位置へ変位した際に、原稿搬送ユニット４に形成された係合片４８と係合し、これにより、排出カバー１６が閉位置で保持されることになる。これら係合孔１６Ｃ及び係合片４８による係合は、排出カバー１６が自重等で簡単に開位置へ変位するのを防ぐために設けられたものであり、利用者が排出カバー１６に手をかけて意図的に排出カバー１６を開けば、係合孔１６Ｃ及び係合片４８による係合は簡単に解除される。
【００４７】
フラッパ部材４３の下端には、櫛歯部４３Ｃが突設されている。また、櫛歯部４３Ｃの付け根付近には、原稿の先端が当接した際に、その先端を図中後方側へと逃がす傾斜が付与されたすくい面４３Ｄと、原稿の先端が当接した際に、その先端を図中前方側へと逃がす傾斜が付与されたすくい面４３Ｅとが形成されている。折返従動ローラ３８を挟んで下流側にある櫛歯部４３Ｃの付け根付近がすくい面４３Ｄとされ、折返従動ローラ３８を挟んで前方にある櫛歯部４３Ｃの付け根付近がすくい面４３Ｅとされる。
【００４８】
以上のように構成された排出カバー１６、カム部材４５、アーム部材４６は、四節リンクを構成しており、排出カバー１６を開けば、それに連動させてカム部材４５を回動させることができる。
【００４９】
アーム部材４６とカム部材４５との連結点となる回動中心４６Ａは、排出カバー１６を開閉動作させた場合でも、アーム部材４６とカム部材４５との連結箇所が伸びきった状態になる死点位置よりも、常に下方にある。そのため、少なくともアーム部材４６とカム部材４５の自重で、回動中心４６Ａが死点位置側へ変位することはなく、回動中心４６Ａが死点位置を挟んで反対側へ変位してしまうこともない。
【００５０】
カム部材４５は、回動に伴って第一カム面４５Ｂでフラッパ部材４３の当接面４３Ｂに当接する状態、又は第二カム面４５Ｃでフラッパ部材４３の当接面４３Ｂに当接する状態に切り替わる。第一カム面４５Ｂが当接面４３Ｂに当接すると、フラッパ部材４３は折返開位置へと変位する。一方、第二カム面４５Ｃが当接面４３Ｂに当接すると、フラッパ部材４３は折返閉位置へと変位する。
【００５１】
排出カバー１６を開閉動作させた際には、それに連動してカム部材４５の回転角も変動する。ただし、第一カム面４５Ｂ及び第二カム面４５Ｃは、それぞれ回動中心４５Ａからの距離が等距離となる面とされている。そのため、カム部材４５の回転角がある程度変動しても、第一カム面４５Ｂ又は第二カム面４５Ｃが当接面４３Ｂとの接触を維持する範囲内で摺動する限り、フラッパ部材４３は変位しない。
【００５２】
すなわち、仮に排出カバー１６とフラッパ部材４３とを四節リンクで直接連動させたとすれば、排出カバー１６の位置とフラッパ部材４３の位置が一対一の関係で連動することになるので、排出カバー１６が僅かに変位するだけでもフラッパ部材４３が変位してしまう。これに対し、上記のような構造であれば、開閉部とカム部材４５とを四節リンクで直接連動させているものの、カム部材４５の位置とフラッパ部材４３の位置は一対一の関係で連動しないので、排出カバー１６が僅かに変位するだけではフラッパ部材４３は変位しない。
【００５３】
したがって、排出カバー１６が閉位置から僅かに開かれた程度では、フラッパ部材４３が折返開位置から外れた位置へ変位してしまうことはなく、また、排出カバー１６が開位置から僅かに閉じられた程度では、フラッパ部材４３が折返閉位置から外れた位置へ変位してしまうことはない。また、排出カバー１６からカム部材４５までの相対的な位置関係が公差の範囲内でばらついていたとしても、カム部材４５の回転角のばらつきに影響されることなく、フラッパ部材４３は適切に折返開位置又は折返閉位置に位置決めされる。したがって、フラッパ部材４３の位置ずれが原因で第一排出経路ないし第二搬送経路においてジャムが発生するのを防止ないし抑制することができる。なお、排出カバー１６の開放位置は、下端がガイド板４７の下流端４７Ａに当接した位置で位置決めされる。
【００５４】
一方、排出カバー１６の本体正面側の内面には、一方のセンサ操作片１２を排出カバー１６の開閉に連動して回動させることで排出カバー１６の開放を検出するカバー検出部５０を備えている。なお、詳細は後述するが、カバー検出部５０は、上述したように、排出カバー１６が閉位置から僅かに開かれた程度では、フラッパ部材４３が折返開位置から外れた位置へ変位させない構成を採用したことを利用して、排出カバー１６が閉位置から僅かに開かれた程度で排出カバー１６の開放を検出するように検出感度を向上させている。
【００５５】
具体的には、カバー検出部５０は、図１２及び図１３に示すように、排出カバー１８の内面で本体正面側の回動軸１６Ａとは反対側に設けられたギヤ部材５１と、ギヤ部材５１と噛み合う中間アーム５２と、中間アーム５１と係合する終端アーム５３と、を備え、その終端アーム５３の先端側、即ち本体正面側の端部に、一方のセンサ操作片１２が一体に形成されている。センサ操作片１２の下方には、検出センサ（アクチュエータ）１２Ａが設けられている。なお、他方のセンサ操作片１１は、読取ユニット３のケース３Ａに上下方向にスライド可能に保持されてて、このセンサ操作片１１の下方にも検出センサ（アクチュエータ）１２Ａが配置されている。各検出センサ１１Ａ，１２Ａは、図８及び図９に示すように、本体ユニット２に設けられており、そのＯＮ・ＯＦＦ出力は本体ユニット２の制御部に出力される。
【００５６】
ギヤ部材５１は、排出カバー１６の開放方向と逆向きに開く駆動側凹部５１Ａを備えている。ギヤ部材５１は、排出カバー１６を開放させたときに駆動側凹部５１Ａがやや上向きとなるように、排出カバー１６の面に対して略直角に突出している。
【００５７】
中間アーム５２は、原稿搬送ユニット４に設けられた軸受部（図示せず）に保持された軸部５２Ａと、軸部５２Ａからギヤ部材５１に向って突出するとともに駆動側凹部５１Ａと係合する従動側凹部５２Ｂと、軸部５２Ａから下向き突出する脚部５２Ｃと、脚部５２Ｃの下端に設けられた操作片５２Ｄと、を一体に備えている。
【００５８】
脚部５２Ｃは、図１３に示すように、排出カバー１６が閉じているときに操作片５２Ｄが排出カバー１６から離れるように斜め下向きとされている。操作片５２Ｄは、脚部５２Ｃに対して排出カバー１６から離れる方向に突出している。また、従動側凹部５２Ｂは、図１４に示すように、排出カバー１６が開いてギヤ部材５１の駆動側凹部５１Ａが上向いたときに略水平とされる。この際、脚部５２Ｃは、操作片５２Ｄが排出カバー１６に接近するように斜め下向きとされている。
【００５９】
終端アーム５３は、読取ユニット３に設けられた軸受部３Ｂに軸部５３Ａが保持されている。終端アーム５３は、軸部５３Ａから読取ユニット３の内側、即ち、複合機１の背面側に向って突出して操作片５２Ｄと接触する受部５３Ｂと、軸部５３Ａから読取ユニット３の外側、即ち、複合機１の正面側に向って突出するとともに先端のセンサ操作片１２を読取ユニット５３のケース外部に露出させたアーム部５３Ｃと、受部５３Ｂの軸部５３Ａとは反対側、即ち、複合機１の背面側の縁部に沿って立ち上がる規制壁５３Ｄと、を一体に備えている。
【００６０】
受部５３Ｂは、その上面５３Ｅが操作片５２Ｄの底面５２Ｅと接触する。操作片５２Ｄの底面５２Ｅは軸部５２Ａを中心とする円弧に沿う凸面とされ、受部５３Ｂの上面５３Ｅはその円弧よりも浅い（円弧が大きい）凹面とされている。したがって、図１３に示す排出カバー１６を閉じた状態から、図１４に示す排出カバー１６の開放状態とされた際には、受部５３Ｂを押し下げ、軸部５３Ａを回動支点としてセンサ操作片１２が上方に回動変位する。
【００６１】
この際、終端アーム５３は、軸部５３Ａから突出する受部５３Ｂの突出量に対して軸部５３Ａから突出するセンサ操作片１２までの突出量を長くすることにより、受部５３Ｂの小さい回動変位量に対してセンサ操作片１２の回動変位量を大きく確保している。なお、本実施の形態においては、軸部５３Ａから受部５３Ｂまでの突出量（回動中心から力点までの距離）に対して軸部５３Ａからセンサ操作片１２までの突出量（回動中心から作用点までの距離）は、１：４前後としている。なお、中間アーム５２の軸部５２Ａから底面５２Ｅまでの距離と軸部５３Ａからセンサ操作片１２までの距離とは、１：２前後としているが、これらの比率は特に限定されるものではなく、排出カバー１６の幅と原稿搬送ユニット４の幅、読取ユニット３や原稿搬送ユニット４の高さ等に応じて任意である。また、終端アーム５３は、上述した長さの相違（重さの相違に比例）するため、常時は自重によってセンサ操作片１２が下方に位置しているが、例えば、コイルスプリングや渦巻きバネ等の付勢によってセンサ操作片１２を下方に押し下げても良い。
【００６２】
以上のように構成された複合機１では、所定サイズより大きい原稿（一例としては、規格サイズとしてＢ５サイズやＡ４サイズ等）を搬送する際には、排出カバー１６を開放せずにフラッパ部材４３を折返開位置とする。これにより、原稿搬送ユニット４には、第一排出経路が適用される。一方、所定サイズより小さい原稿（一例としては、ハガキや名刺等）を搬送する際には、排出カバー１６を開放させてフラッパ部材４３を折返閉位置へと変位させる。これにより、原稿搬送ユニット４には、第二排出経路４４が適用される。
【００６３】
搬送対象となる原稿は開放状態のガイド部材１４にセットされ、操作部１０での操作、図示しないパーソナルコンピュータからの遠隔操作等により、複合機１に対してスキャン指令が与えられる。なお、このスキャン指令の際、利用者は片面読み取りか両面読み取りかを任意に指定することができる。
【００６４】
複合機１にスキャン指令が与えられた場合、複合機１は、まず、装置各部を初期化する処理を実行し、続いて、原稿搬送ユニット４が備えるローラ群を作動させる。このとき、原稿供給ローラ３３によって搬送方向上流側から供給される原稿は、分離ローラ３４によって１枚ずつに分離されつつ、更に搬送方向下流側へと搬送される。
【００６５】
そして、その原稿の先端をレジストローラ対３５に当接させることにより、原稿先端の位置決め及び斜行（スキュー搬送）の補正を行い、その原稿が搬送方向下流側へと搬送されて、プラテン１３と第一原稿押さえ部２８との間を通過する。スキャン指令の際に、両面読み取り又は第一イメージセンサ２１による片面読み取りが指定されている場合、原稿が第一イメージセンサ２１と対向する位置に到来したら、第一イメージセンサ２１による画像の読み取りを行う。なお、片面原稿の場合にはガイド部材１４にはフェースダウン載置となり、設置最下位のものから順次取り出される。
【００６６】
具体的には、第一イメージセンサ２１は、複合機１の前後方向を主走査方向、搬送方向を副走査方向として、各センサに対向する位置を副走査方向へと移動する原稿から、主走査方向に並ぶ複数の画素を繰り返し読み取ることで、原稿の表面側の画像を読み取る。
【００６７】
また、プラテン１３と第一原稿押さえ部２８との間を通過した原稿は、引き続いて、搬送原稿用第二透明部２８と第二原稿押さえ部３０との間を通過する。スキャン指令の際に、両面読み取り又は第二イメージセンサ２２による片面読み取りが指定されている場合、原稿が第二イメージセンサ２２と対向する位置に到来したら、第二イメージセンサ２２による画像の読み取りを行う。なお、片面原稿の場合にはガイド部材１４にはフェースアップ載置となり、設置最上位のものから順次取り出される。
【００６８】
具体的には、第二イメージセンサ２２は、複合機１の前後方向を主走査方向、搬送方向を副走査方向として、各センサに対向する位置を副走査方向へと移動する原稿から、主走査方向に並ぶ複数の画素を繰り返し読み取ることで、原稿の裏面側の画像を読み取る。
【００６９】
搬送原稿用第二透明部２８と第二原稿押さえ部３０との間を通過した原稿は、折返駆動ローラ３６に到達し、折返駆動ローラ３６の下端側から折返駆動ローラ３６の左方へと送り出される。
【００７０】
ここで、原稿搬送経路として第一排出経路が選択されている場合、フラッパ部材４３は、図８及び図９に示すように、折返経路４１と第二排出経路４４との分岐部分を区画する隔壁となっている。図８に示す第二排出経路４４を閉じている状態において、フラッパ部材４３の図示右側にある凹面は、折返駆動ローラ３６の外周面に沿った位置に間隔を空けて対向して配置され、折返駆動ローラ３６の下端側から回転方向に沿って原稿が送り出された際に、その原稿の先端を折返駆動ローラ３６と協働して上方へと案内するガイド面として機能する。
【００７１】
このようなガイド面に沿って上方へと案内された原稿は、折返駆動ローラ３６に沿って反転されつつ折り返されるので、折返経路４１から排出経路４２に至る第一排出経路に沿って搬送されることになる。なお、こうして第一排出経路に沿って搬送された原稿は、アッパドキュメントカバー２０の上面に集積される。なお、原稿の下流端側はガイド部材１５の上面等に跨る（原稿載置部の一部を利用する）場合もある。したがって、第一イメージセンサ２１に対し排出カバー１６と反対側に位置して原稿が排出される排出部は、本実施の形態では、アッパドキュメントカバー２０の上面若しくは、アッパドキュメントカバー２０の上面からガイド部材１５の上面等に跨る範囲である排出経路４２の少なくとも一部を兼用している。
【００７２】
一方、原稿搬送経路として第二排出経路４４が選択されている場合、フラッパ部材４３は、図９に示すように第二排出経路４４を開くように、図８で示した下端側が第二排出経路４４の上方に位置するように回動変位する。これにより、フラッパ部材４３の下方で読取経路４０と第二排出経路４４とが連通した状態となる。この状態において、折返駆動ローラ３６の下端側から図示左方である下流側へ原稿が送り出された際には、その原稿の先端はフラッパ部材４３の下方を通過搬送される。なお、原稿幅である本体ユニット２の正面側から背面側、即ち、原稿の搬送方向と直交する方向の第二排出経路４４の幅は、所定サイズ幅以下の原稿が通過可能な幅を有していれば良い。
【００７３】
その結果、原稿は第二排出経路４４に沿って搬送されることになる。なお、こうして第二排出経路４４に沿って搬送された原稿は、原稿搬送ユニット４の側面にある原稿排出口１７から排出され、その際、排出された原稿は、排出トレイとして機能する排出カバー１６によって左側下方から支持される状態になる。
【００７４】
さらに、この複合機１では、プラテン１３上に原稿を載置して、その原稿の画像を読み取ることもできる。このような方法で画像を読み取る場合には、まず、原稿搬送ユニット４が開かれて、原稿載置面であるプラテン１３に原稿が載置される。この状態で、操作部１０での操作や図示しないパーソナルコンピュータ等からの遠隔操作により、複合機１に対してスキャン指令が与えられる。
【００７５】
複合機１にスキャン指令が与えられた場合、複合機１は、まず、装置各部を初期化する処理を実行し、続いて、第一イメージセンサ２１による画像の読み取りを行う。具体的には、第一イメージセンサ２１は、複合機１の前後方向を主走査方向、左右方向を副走査方向として、副走査方向へ移動しながら、主走査方向に並ぶ複数の画素を繰り返し読み取ることで、プラテン１３上に載置されている原稿の画像を読み取る。
【００７６】
［開閉状態検出機構］
次に、この複合機１が備える開閉状態検出機構について説明する。複合機１は、上述したように、図１に示す全閉状態、図２に示す開放状態、図３に示す開放状態、図５〜図７に示す排出カバー１６の開放状態、に開閉可能となっている。なお、ガイド部材１４の開閉は、以下の説明では不問とする。
【００７７】
本実施の形態では、図３に示すように、原稿搬送ユニット４の底面に操作突起４Ｃが設けられている。この操作突起４Ｃは、読取ユニット３に設けられた挿入孔３Ｃに下端が臨んでセンサ操作片１１と当接可能となっていて、原稿搬送ユニット４を読取ユニット３に対して閉じたときにセンサ操作片１１を下方に押し下げている。したがって、原稿搬送ユニット４のみを開放させた際には、センサ操作片１１から離間してセンサ操作片１１が図示しないスプリング等の付勢によって押し上げられる。また、図２に示すように、読取ユニット３を本体ユニット２に対して開放させた場合には、センサ操作片１１も上方に変位する。
【００７８】
一方、終端アーム５３は、排出カバー１６が開放された際にセンサ操作片１２が一体に上昇する。また、終端アーム５３は、読取ユニット４に保持されているため、排出カバー１６が閉じた状態にあるときと原稿搬送ユニット４のみが開放された際には回動せず、そのままの状態を維持している。
【００７９】
したがって、図１に示す全閉状態ではセンサ操作片１１，１２の両方がその状態を維持し、排出カバー１６のみを開放させた際には、センサ操作片１２のみが変位し、原稿搬送ユニット４のみを開放させた場合にはセンサ操作片１１のみが変位し、読取ユニット３を開放させた際にはセンサ操作片１１，１２の両方が変位する。
【００８０】
これにより、センサ操作片１１，１２の変位の組み合わせに２つの検出センサ１１Ａ，１２ＡのＯＮ・ＯＦＦとを連動して組み合わせれば、２つの検出センサ１１Ａ，１２Ａでその個数以上である４つの状態を検出することが可能となる。なお、検出センサ１１Ａ，１２Ａは、図１に示す全閉状態で両方がＯＮ、両方がＯＦＦ，何れか一方がＯＮ、の何れの状態であっても良い。
【００８１】
排出カバー１６の開放を検出する検出センサ１２Ａは、上述した終端アーム５３の感度を上げているとともに、排出カバー１６が閉位置から僅かに開かれた程度では、フラッパ部材４３が折返開位置から外れた位置へ変位させない構成を採用している。したがって、図１５のグラフ図に示すように、カム部材４５の回動開始（図１５の破線）に対してフラッパ部材４３の回動変位開始（図１５の実線）を遅延させることができ、しかも、検出センサ１２Ａによる排出カバー１６の開放の検知タイミングを、フラッパ部材４３の回動開始よりも先に検出することができる。
【００８２】
これにより、例えば、所定サイズ幅以上を検出している状態で画像の読み取りを開始しようとしている際に排出カバー１６が既に開放されている場合は勿論、読み取り開始直後や読み取り最中等に故意又は不測に排出カバー１６が開放された場合においても、その開放初期、即ちフラッパ部材４３が経路を切り替え始める前にその旨を検出することができる。
【００８３】
したがって、読み取り開始前においては読み取りの実行を行わないようにすることができ、読み取り開始直後を含む読み取り最中においても各ローラ３３〜３６の駆動を停止するなど、所定サイズ幅以上の原稿にダメージやジャムが発生することを抑制することができる。
【００８４】
ところで、上記実施の形態では、排出カバー１６の開放を検出するカバー検出部５０を、ギヤ部材５１、スイッチアーム５２、終端アーム５３を備えたリンク機構で構成した例を開示したが、例えば、複数のギヤを配置してその直径やギヤ比等を適宜に設定することによってタイミング調整を可能とし且つ感度の良いカバー検出部を構成することも可能である。また、カバー検出部５０、即ち、検出スイッチ１２Ａが排出カバー１６の開放を検出していないときに、原稿載置部にて所定サイズ幅以下を検出していた場合、本体ユニット２の制御部は、原稿の送り出しを含めた搬送を実行しないようにすることも可能である。
【００８５】
なお、単にフラッパ部材４３の回動変位が開始される前に排出カバー１６の開放を検知するのであれば、開放カバー１６に接近センサー等を配置して開放カバー１６の開放を直接検知することも可能である。本実施の形態では、このようなセンサを用いた場合の配線の配策作業やスペースの確保を必要とせず、排出カバー１６を開放したときの原稿の搬送経路を阻害しない位置、即ち、排出カバー１６の下方とその外側（複合機１の正面側）のスペースを利用しているので、スペースの確保も容易となっている。また、排出カバー１６の開放を直接検知するのではなく、フラッパ部材４３のリンク機構を利用して間接的に排出カバー１６の開放を検知するように構成することも可能である。
【００８６】
また、原稿搬送ユニット４は、下方から取り出して上方に折り返し排出（集積）するものを開示したが、上下を逆に構成してもよい。ただし、この場合には、第二イメージセンサ２２の配置を折返経路の上流側に配置する必要がある。ここで、給紙側の搬送経路よりも上方に第二イメージセンサ２２を配置して下向きの読み取りとしてしまうと原稿搬送ユニット４の高さが高くなってしまうことから、給紙側の搬送経路よりも下方に第二イメージセンサ２２を配置して上向きの読み取りとするのが好ましい。
【００８７】
なお、本実施形態の場合、既に説明したスキャン指令が与えられた際、原稿がガイド部材１４にセットされていると、上述のＡＤＦスキャン処理が実行されるが、スキャン指令を発行する際に原稿搬送ユニット４を利用するか否かを指定できるように構成してあってもよい。
【００８８】
以上説明したように、本実施形態の複合機１によれば、、筐体としてのケース４Ａと、原稿が載置される原稿載置部としての原稿載置面４Ｂ及び原稿載置カバー１４と、原稿の画像を読み取るための読取部としての第一イメージセンサ２１と、第一イメージセンサ２１に対し原稿載置面４Ｂとは反対側においてケース４Ａに対し開閉可能に設けられた排出カバー１６と、第一イメージセンサ２１に対し排出カバー１６と反対側に位置して原稿が排出される排出部としてのアッパドキュメントカバー２０と、ケース４Ａに形成されて原稿載置面４Ｂに載置された原稿を読取ユニット３へ給送するための読取経路４０と、ケース４Ａに形成されて読取ユニット３で読み取った原稿を折り返して排出部に排出するための排出経路４２と、ケース４Ａに形成されて読取ユニット３で読み取った原稿を排出カバー１６に排出するための第二排出経路４４と、排出経路４２と第二排出経路４４との分岐部分に配置されて排出カバー１６の開閉動作に連動して変位することで画像読み取り後の原稿の排出経路を排出経路４２と第二排出経路４４とで切り替える切替部としてのフラッパ部材４３と、排出カバー１６の開放を検出するカバー検出部５０と、を備え、カバー検出部５０は、排出カバー１６の開閉に応じて連動して回動する複数のアーム５１，５２，５３を備えたリンク機構と、そのリンク機構の終端に設けられた検出スイッチ１２Ａとを備えることにより、排出カバーの開放を妨げることなく、機械的な構成のみで排出カバーの開放を検出することができる。
【符号の説明】
【００８９】
１  複合機
２  本体ユニット
３  読取ユニット
３Ａ  ケース
３Ｂ  軸受部
３Ｃ  挿入孔
４  原稿搬送ユニット
４Ａ  ケース（筐体）
４Ｂ  原稿載置面
４Ｃ  操作突起
５  転写紙収納カセット
６  給排紙口
７  正面カバー
８  主電源スイッチ
９  液晶表示パネル
１０  操作部
１１  センサ操作片
１１Ａ  検出センサ
１２  センサ操作片
１２Ａ  検出センサ
１３  プラテン
１４  原稿載置カバー
１５  ガイド部材
１６  排出カバー
１６Ａ  回動軸
１６Ｂ  扇形部
１６Ｃ  係合孔
１７  原稿排紙口
１８  支持アーム
１９  ＡＤＦカバー
２０  アッパドキュメントカバー
２０Ａ  上流端
２１  第一イメージセンサ
２２  第二イメージセンサ
２３  ホルダ
２４  緩衝部材
２５  保持フレーム
２６  緩衝部材
２７  第二プラテン
２８  第一原稿押さえ部
２９  保持フレーム
３０  第二原稿押さえ部
３１  付勢部材
３２  付勢部材
３３  原稿供給ローラ
３４  分離ローラ
３５  搬送ローラ対
３６  折返駆動ローラ
３７  折返従動ローラ
３８  折返従動ローラ
３９  折返従動ローラ
４０  読取経路
４１  折返経路
４２  排出経路
４３  フラッパ部材
４３Ａ  回動軸
４３Ｂ  当接面
４３Ｃ  櫛歯部
４３Ｄ  すくい面
４３Ｅ  すくい面
４４  第二排出経路
４５  カム部材
４５Ａ  回動中心
４５Ｂ  第一カム面
４５Ｃ  第二カム面
４５Ｄ  延出部
４６  アーム部材
４６Ａ  回動中心
４６Ｂ  回動中心
４７  ガイド板
４８  係合片
４７Ａ  下流端
４８  係合片
５０  カバー検出部
５１  ギヤ部材
５１Ａ  駆動側凹部
５２  スイッチアーム
５２Ａ  軸部
５２Ｂ  従動側凹部
５２Ｃ  脚部
５２Ｄ  操作片
５２Ｅ  底面
５３  終端アーム
５３Ａ  軸部
５３Ｂ  受部
５３Ｃ  アーム部
５３Ｄ  立壁
５３Ｅ  上面（係合面）
【図１】
2014099827.tif 000003
【図２】
2014099827.tif 000004
【図３】
2014099827.tif 000005
【図４】
2014099827.tif 000006
【図５】
2014099827.tif 000007
【図６】
2014099827.tif 000008
【図７】
2014099827.tif 000009
【図８】
2014099827.tif 000010
【図９】
2014099827.tif 000011
【図１０】
2014099827.tif 000012
【図１１】
2014099827.tif 000013
【図１２】
2014099827.tif 000014
【図１３】
2014099827.tif 000015
【図１４】
2014099827.tif 000016
【図１５】
2014099827.tif 000017